(57)【要約】  開封途中に意図しない方向へフィルムが切れてしまうことなく、包装体を容易に開封することができる包装用フィルムを提供することを目的とする。  本技術に係る包装用フィルムは、開封開始部と、開封開始部を起点に形成される切断予定線と、が設けられており、切断予定線は、配列された複数のカット部で構成され、カット部は、第１カット線と、第１カット線から開封方向側に屈曲する第２カット線と、を備え、第２カット線の延長線が隣のカット部の第１カット線に交わる構成である。
2019176291.tif 000002
【特許請求の範囲】
【請求項１】
開封開始部と、該開封開始部を起点に形成される切断予定線と、が設けられており、
前記切断予定線は、配列された複数のカット部で構成され、
前記カット部は、第１カット線と、該第１カット線から開封方向側に屈曲する第２カット線と、を備え、
前記第２カット線の延長線が隣のカット部の前記第１カット線に交わる構成である、包装用フィルム。
【請求項２】
前記第２カット線の延長線と隣のカット部の前記第１カット線との交点から、該カット部の前記第１カット線の先端までの間隔が０より大きく、前記第１カット線の寸法よりも小さい、請求項１に記載の包装用フィルム。
【請求項３】
前記第２カット線の先端から前記第２カット線の延長線と隣のカット部の前記第１カット線との交点までの間隔ｅが、前記第２カット線の寸法を１としたときに、０．５〜１．７５である、請求項２に記載の包装用フィルム。
【請求項４】
前記切断予定線の始端側における、前記第２カット線の先端から前記第２カット線の延長線と隣のカット部の前記第１カット線との交点までの間隔ｅ１が、前記切断予定線の終端側における前記間隔ｅ２よりも狭い、請求項２に記載の包装用フィルム。
【請求項５】
前記切断予定線が、前記開封開始部を起点に徐々に間隔が広がる一対の切断予定線である、請求項２に記載の包装用フィルム。
【請求項６】
前記第１カット線と、前記第２カット線との屈曲部が湾曲している、請求項１に記載の包装用フィルム。
【請求項７】
開封開始部と、該開封開始部を起点に形成される切断予定線と、が設けられており、前記切断予定線は、複数のカット部で構成され、前記カット部は、第１カット線と、該第１カット線から開封方向に屈曲する第２カット線と、を備え、前記第２カット線の延長線が隣のカット部の前記第１カット線に交わる構成である包装用フィルムで被包装物を包んだフィルム包装体。
【請求項８】
前記開封開始部が、前記包装用フィルムのシール部の一部に形成された弱粘着部又は非粘着部である、請求項７に記載のフィルム包装体。
【請求項９】
前記被包装物が、記録媒体を収容するプラスチックケースである、請求項７に記載のフィルム包装体。
【請求項１０】
開封開始部と、該開封開始部を起点に形成される切断予定線と、が設けられており、前記切断予定線は、複数のカット部で構成され、前記カット部は、第１カット線と、該第１カット線から開封方向に屈曲する第２カット線と、を備え、前記第２カット線の延長線が隣のカット部の前記第１カット線に交わる構成である包装用フィルムで被包装物をシュリンク包装することを含む、フィルム包装方法。
【発明の詳細な説明】
【技術分野】
【０００１】
本技術は、包装用フィルム等に関する。より詳しくは、包装体を容易に開封することができる包装用フィルム、及び該フィルムを用いたフィルム包装体並びに該フィルムを用いたフィルム包装方法に関する。
【背景技術】
【０００２】
商品の包装方法として、シュリンク包装とよばれる包装方法が知られている。シュリンク包装は、熱収縮性フィルムを被包装物の形状に密着させ、ヒートシールすることで密封する方法である。【０００３】
シュリンク包装は、例えば光学ディスク等の記録媒体の包装に用いられている。このような製品は、光学ディスク等の記録媒体をプラスチックケース等に収容してからシュリンク包装されることが多いが、ケースの形状に凹凸が少ないため、フィルムがケースに密着してしまい、開封が難しいという問題があった。【０００４】
特許文献１には、箱形状の被包装物の開封を容易にするために、被包装物を包み端部を重ね合わせてシールし、シール部の一部にはベタ印刷による開封口部が設けられているオーバーラップフィルムにおいて、開封口部の一部に、網点印刷または無印刷による弱接着部分を設けたことを特徴とするオーバーラップフィルムによる包装構造が開示されている。
【先行技術文献】
【特許文献】
【０００５】
【特許文献１】特開平１０−１０１１３０号公報
【発明の概要】
【発明が解決しようとする課題】
【０００６】
しかしながら、従来の包装構造では、開封口に指をひっかけてフィルムを開封しようとした場合に、開封途中で意図しない方向へフィルムが切れてしまうことにより大部分のフィルムが残ってしまい、商品を取り出すことができなくなる場合があった。【０００７】
そこで、本技術は、開封途中で意図しない方向へフィルムが切れてしまうことなく、包装体を容易に開封することができる包装用フィルムを提供することを主な目的とする。
【課題を解決するための手段】
【０００８】
本発明者は、意図どおりにフィルムを切って開封することができるようにするために、ガイドとなるミシン目を設けることを検討した。しかしながら、開封方向に対してミシン目を斜め方向に設けると、カット部から次のカット部へ切れ目が到達せず、途中で別の方向に切れだし、意図どおりにフィルムを切ることができない場合があることがわかった。【０００９】
そこで、本発明者は鋭意検討の結果、特定の構造の切断予定線を設けたフィルムを用いることにより、上記課題を解決できることを見出した。【００１０】
すなわち、本技術は、
開封開始部と、該開封開始部を起点に形成される切断予定線と、が設けられており、前記切断予定線は、配列された複数のカット部で構成され、前記カット部は、第１カット線と、該第１カット線から開封方向側に屈曲する第２カット線と、を備え、前記第２カット線の延長線が隣のカット部の前記第１カット線に交わる構成である、包装用フィルムを提供する。
前記第２カット線の延長線と隣のカット部の前記第１カット線との交点から、該カット部の前記第１カット線の先端までの間隔が、０より大きく、前記第１カット線の寸法よりも小さいことが好ましい。
前記第２カット線の先端から前記第２カット線の延長線と隣のカット部の前記第１カット線との交点までの間隔ｅが、前記第２カット線の寸法を１としたときに、０．５〜１．７５であることが好ましい。
前記切断予定線の始端側における、前記第２カット線の先端から前記第２カット線の延長線と隣のカット部の前記第１カット線との交点までの間隔ｅ１が、前記切断予定線の終端側における前記間隔ｅ２よりも狭いことが好ましい。
前記切断予定線が、前記開封開始部を起点に徐々に間隔が広がる一対の切断予定線であることが好ましい。
前記第１カット線と、前記第２カット線との屈曲部が湾曲していることが好ましい。【００１１】
また、本技術は、
開封開始部と、該開封開始部を起点に形成される切断予定線と、が設けられており、前記切断予定線は、複数のカット部で構成され、前記カット部は、第１カット線と、該第１カット線から開封方向に屈曲する第２カット線と、を備え、前記第２カット線の延長線が隣のカット部の前記第１カット線に交わる構成である包装用フィルムで被包装物を包んだフィルム包装体を提供する。
前記開封開始部が、前記包装用フィルムのシール部の一部に形成された弱粘着部又は非粘着部であることが好ましい。
前記被包装物が、記録媒体を収容するプラスチックケースであることが好ましい。【００１２】
さらに、本技術は、
開封開始部と、該開封開始部を起点に形成される切断予定線と、が設けられており、前記切断予定線は、複数のカット部で構成され、前記カット部は、第１カット線と、該第１カット線から開封方向に屈曲する第２カット線と、を備え、前記第２カット線の延長線が隣のカット部の前記第１カット線に交わる構成である包装用フィルムで被包装物をシュリンク包装することを含む、フィルム包装方法を提供する。
【発明の効果】
【００１３】
本技術によれば、開封途中に意図しない方向へフィルムが切れてしまうことなく、包装体を容易に開封することができる。
なお、ここに記載された効果は必ずしも限定されるものではなく、本開示中に記載されたいずれかの効果であってもよい。
【図面の簡単な説明】
【００１４】
【図１】本技術に係る包装用フィルムの基本的な構造を示す図である。
【図２】本技術に係る包装用フィルムの拡大図である。
【図３】本技術に係る包装用フィルムのカット部から隣のカット部へフィルムを裂いた際の拡大図である。
【図４】本技術に係る包装用フィルムの第一実施形態例を示す図である。
【図５】本技術に係る包装用フィルムの第二実施形態例を示す図である。
【図６】本技術に係る包装用フィルムの第二実施形態例の拡大図である。
【図７】本技術に係る包装用フィルムの第二実施形態例の変形例を示す図である。
【図８】本開示に係る実施例を示す図である。
【図９】本開示に係る比較例を示す図である。
【発明を実施するための形態】
【００１５】
以下、本技術を実施するための好適な実施形態について、図面を参照しながら説明する。なお、以下に説明する実施形態は、本技術の代表的な実施形態や変形形態を示したものであり、これにより本技術の範囲が狭く解釈されることはない。
説明は、以下の順序で行う。
【００１６】
１．本技術に係る包装用フィルムの基本的な構造について
２．第一実施形態例の構成について
３．第二実施形態例の構成について
【００１７】
＜１．本技術に係る包装用フィルムの基本的な構造について＞
図１〜図３を用いて、本技術に係る包装用フィルムの基本的な構造について説明する。
図１は、本技術に係る包装用フィルムの基本的な構造を示す図である。図２は、図１において点線で示した部分Ａの拡大図である。図３は、本技術に係る包装用フィルムのカット部から隣のカット部へフィルムを裂いた際の拡大図である。
【００１８】
本技術に係る包装用フィルムには、図１に示すような切断予定線１が設けられている。切断予定線１は配列された複数のカット部２で構成される。カット部２は、第１カット線２ａと、第１カット線２ａから開封方向Ｄ１側に屈曲する第２カット線２ｂとを備えている。
【００１９】
第１カット線２ａと第２カット線２ｂとの屈曲部２ｒは、略直角に折れ曲がっていてもよいが、湾曲形状となっていることが好ましい。屈曲部２ｒを湾曲形状とすることにより、開封する際に第１カット線２ａの延長方向に切れてしまう等、意図しない方向にフィルムが切れてしまうことを防ぐことができる。
【００２０】
図２に示すように、カット部２は、開封方向Ｄ１の手前側にあるカット部２１の第２カット線２１ｂの延長線が開封方向Ｄ１の奥側にある隣のカット部２２の第１カット線２２ａに交わる構成である。図３のＴ１やＴ３のように、第２カット線２１ｂから左右方向へ裂け目が暴れてしまっても、隣のカット部２２の第１カット線２２ａで受け止めることができるため所望の方向にフィルムを裂くことができる。
なお、本明細書において「カット線に交わる」とは、カット線同士が交差する構成だけでなく、一方のカット線の端部が他方のカット線に接する構成も含むものとする。
【００２１】
図２において、カット部２１の第１カット線２１ａの寸法ａと、第２カット線２１ｂの寸法ｂとの比は特に限定されないが、寸法ｂを１としたときに、寸法ａは１以上であることが好ましく、２以上であることがより好ましい。寸法ａを寸法ｂよりも大きくすることで、図３に示した隣のカット部２２の第１カット線２２ａが裂け目Ｔ１ないしＴ３を受け止める効果がより発揮されると考えられる。
【００２２】
さらに、図２において、カット部２１の第２カット線２１ｂの延長線と隣のカット部２２の第１カット線２２ａとの交点Ｐから、第１カット線２２ａの先端までの間隔ｃは、０以上であって寸法ａ以下であることが好ましく、０より大きく寸法ａより小さいことがより好ましい。間隔ｃを０より大きく寸法ａより小さくすると、交点Ｐが第１カット線２２ａの両端部よりも内側になるため、第２カット線２１ｂから左右いずれの方向へ裂け目が暴れても、隣のカット部２２の第１カット線２２ａで受け止めることができる。また、間隔ｃを０より大きく寸法ａより小さくすると、図１に示すように切断予定線１が開封方向Ｄ１に対して斜め方向となる。そのため、従来の包装構造やミシン目を設けたフィルムでは意図どおりに開封することが難しかった、開封方向に対して斜め方向への開封が容易になる。
【００２３】
なお、カット部２１の第２カット線２１ｂの先端から交点Ｐまでの間隔ｅは、寸法ｂを１としたときに、０．５〜１．７５であることが好ましい。間隔ｅを上記範囲とすることで、図３のＴ１やＴ３のように、第２カット線２１ｂから左右へ裂け目が暴れてしまう範囲を狭めることができ、より確実に開封することが可能になる。
【００２４】
＜２．第一実施形態例の構成について＞
図４を用いて、第一実施形態例の構成について説明する。図４は、被包装物３を本技術に係る包装用フィルム４で包装した包装体を示す斜視図である。第一実施形態例に係る包装用フィルム４には、開封開始部５を起点に徐々に間隔が広がる一対の切断予定線１ａ及び１ｂが設けられている。
【００２５】
被包装物３の形状は、直方体状、円柱状等、特に限定せず本技術を用いることができる。特に、被包装物３が記録媒体を収容するプラスチックケースのような平板状で角張った直方体である場合は、ケースの形状に凹凸が少ないため包装用フィルム４がケースに密着してしまい、従来の包装構造では意図どおりに開封することが難しかったので、本技術をより効果的に用いることができる。
【００２６】
包装用フィルム４は、熱収縮性及び熱接着性を有する素材を用いることができ、例えばポリプロピレンフィルムを用いることができる。被包装物３は、包装用フィルム４の端部をヒートシールすることによってシュリンク包装されている。被包装物３の正面にはシール部４１が設けられ、被包装物３の両側側面にはシール部４２が設けられている。
【００２７】
また、シール部４１の一部には、両側に切れ込みを有する開封開始部５が設けられている。この開封開始部５は、シール部４１の他の部分に比べて弱粘着であるか、又は非粘着であることが好ましい。例えば、包装用フィルム４のシール面の内側に矢印形状の印刷を施し、包装工程における加熱処理の際に熱溶着させると、印刷が施されている部分に、印刷が施されていない部分よりも粘着力が弱い弱粘着部又は非粘着部が形成される。このようにして形成された弱粘着部又は非粘着部を、開封開始部５とすることができる。開封時には、この開封開始部５を指でつまんで、切断予定線１ａ及び１ｂから包装用フィルム４を容易に開封することができる。なお、開封開始部５の両側の切れ込みの幅は特に制限されないが、開封開始部５をつまみやすくするため、５０ｍｍであることが好ましい。
【００２８】
本技術に係る包装用フィルム４は、切断予定線１ａ及び１ｂのそれぞれが上記１．で示した基本構造を有することで、開封方向Ｄ１と切断予定線の方向Ｄ２が一致していなくても容易に開封することができる。切断予定線１ａ及び１ｂを被包装物３の端部に向かって斜めに設けることにより、切断予定線１ａ及び１ｂに沿って包装用フィルム４を剥がした際に開口を広くとることができ、容易に中の製品を取り出すことができる。なお、上記１．で説明した図１ないし図３は切断予定線１ｂ側のカット部２を表しており、切断予定線１ａにおけるカット部２の向きは切断予定線１ｂと左右対称になっている。すなわち、切断予定線１ａにおける第１カット線２ａの先端と切断予定線１ｂにおける第１カット線２ａの先端がいずれも被包装物３の中央方向に向いている構成である。
【００２９】
また、本技術に係る包装用フィルムのカット部の寸法ａ及びｂ、間隔ｃ及びｅを調節したうえで、さらに切断予定線１ａ及び１ｂの角度を変化させることもできる。この場合、切断予定線１ａ及び１ｂの角度θは２１〜６５度であることが好ましい。角度θが２１度未満であると、開封途中で切断予定線と別の方向にフィルムが裂けてしまう可能性がある。切断予定線の角度θを変化させることで、包装用フィルム４に印字される説明書きの文字等をよけて切断予定線を設けることができる。
【００３０】
＜３．第二実施形態例の構成について＞
図５〜図７を用いて、第二実施形態例の構成について説明する。図５及び図７は、包装用フィルム４で包装した包装体を上から見た図である。図６は、図５における点線Ｂで示した部分の拡大図である。
【００３１】
図５に示すように、切断予定線１ａ及び１ｂの始端側１１ａ及び１１ｂと、切断予定線１ａ及び１ｂの終端側１２ａ及び１２ｂとの傾きが、例えばＢ部分で変化していてもよい。これらの切断予定線は、図６に示すように、始端側１１ｂにおける、第２カット線２１１ｂの先端から交点Ｐ１までの間隔ｅ１が、終端側１２ｂにおける、第２カット線２１２ｂの先端から交点Ｐ２までの間隔ｅ２よりも狭くなっている。なお、切断予定線１ａ及び１ｂの始端側１１ａ及び１１ｂの長さ方向の距離Ｘ−１は５〜１５ｍｍであることが好ましく、間隔ｅ１は寸法ｂを１としたときに０．５であることが好ましく、間隔ｅ２は寸法ｂを１としたときに１〜１．７５であることが好ましい。
【００３２】
切断予定線１ａ及び１ｂの始端側１１ａ及び１１ｂは開封開始部５と近い位置にあるため、切断予定線１１ａ及び１１ｂに沿ってより確実に開封される必要がある。また、開封開始部５を指でつまんで開封する際に、始端側１１ａ及び１１ｂには開封方向Ｄ１への力が大きくかかる。そのため、始端側１１ａ及び１１ｂにおける間隔ｅ１は、終端側１２ａ及び１２ｂにおける間隔ｅ２よりも狭くすることが好ましい。また、間隔ｅの大きさを変えることにより切断予定線１ａ及び１ｂの傾きを微調整することができ、包装用フィルム４に印字される説明書きの文字等をよけて切断予定線を設けることができる。
【００３３】
なお、上記では間隔ｅを２段階で変化させる例を説明したが、間隔ｅを３段階、４段階又はそれ以上変化させる構成を採用することもできる。この場合も、切断予定線の始端側の長さ方向の距離Ｘ−１は５〜１５ｍｍであることが好ましく、始端側の間隔ｅ１は寸法ｂを１としたときに０．５であることが好ましく、開封方向奥側に向かうにつれて間隔ｅが１〜１．７５の範囲で次第に広くなっていく構成であることが好ましい。
【００３４】
例えば、図７に示すように、切断予定線の始端側から終端側にかけて、図２で示した間隔ｅを次第に広くしていくことによって、切断予定線１３ａ及び１３ｂをカーブ状にすることができる。間隔ｅは寸法ｂを１としたときに０．５〜１．７５の範囲で変化させることが好ましい。
【実施例】
【００３５】
以下、実施例に基づいて本発明を更に詳細に説明する。なお、以下に説明する実施例は、本発明の代表的な実施例の一例を示したものであり、これにより本発明の範囲が狭く解釈されることはない。説明は、以下の順序で行う。【００３６】
１．カット部の寸法についての検討
２．カット部の間隔ｅについての検討【００３７】
＜１．カット部の寸法についての検討＞
光学ディスク用プラスチックケース（長さ１２４ｍｍ、幅１４２ｍｍ、高さ５ｍｍ）を５枚用意した（ソニー株式会社製、商品名5NE1VJPS2）。また、包装用フィルムとして、ポリプロピレンフィルムを用意した。【００３８】
まず、レーザーマーカー（パナソニックデバイスSUNX株式会社製）を用いて、裏面に印刷が施された包装用フィルムの端部に開封開始部となる５０ｍｍ幅の切り込みを２本入れ、それぞれの切り込みを起点にカット部を配列し、徐々に間隔が広がる切断予定線を２本形成した。【００３９】
次に、レーザーマーカー（パナソニックデバイスSUNX株式会社製）を用いて、上記のプラスチックケースを５枚まとめて包装用フィルムで包み、包装用フィルムの端部が重なった部分をヒートシールすることで、シュリンク包装体を得た。【００４０】
第１カット部の寸法ａを３．０ｍｍ、第２カット部の寸法ｂを１．０ｍｍとし、図２における間隔ｃ、間隔ｅを変化させて、包装の開封性を検討した。
なお、開封性の評価は以下の基準で行った。
＜評価方法＞
Ａ  非常によく切れる（切断予定線のとおりにカット部が連続して切れている）
Ｂ  よく切れる（カット部を経由せずに切れている箇所がわずかにあるが、切断予定線に沿って切れている）
Ｃ  切れる（カット部を経由せずに切れている箇所が少しあるが、切断予定線の方向に切れている）
Ｄ  少し切れにくい（切断予定線の途中で別の方向に裂けているが、おおむね切断予定線の方向に切れている）
Ｅ  切れにくい（切断予定線の途中で別の方向に裂けてしまい、切断予定線のとおりに切れていない）【００４１】
表１に、開封性の検討結果を示す。また、例として、図８に実施例６のカット部の拡大図を示し、図９に比較例６のカット部の拡大図を示す。
なお、表１の比較例４〜７は間隔ｃが負の値となっている。これは、図２において、隣のカット部２２の第１カット線２２ａの端部が第２カット線２１ｂの延長線よりも外側に位置し、第２カット線２１ｂの延長線が、隣のカット部２２の第１カット線２２ａと交わらない状態を示している。そのため、第２カット線２１ｂの延長線と、隣のカット部２２の第１カット線２２ａの延長線との交点から、第２カット線２１ｂの先端までの間隔を負の値で表している。【００４２】
【表１】
2019176291.tif 000003
【００４３】
表１及び図８より、間隔ｃが０より大きい実施例１〜８では、カット部から隣のカット部へおおむね連続してフィルムを切っていくことができ、開封性がよいことがわかった。
また、表１の実施例９、比較例１〜３より、間隔ｃが０である場合は間隔ｅが狭ければ切断予定線の方向に開封することができるが、間隔ｅが広くなるにつれて切断予定線とは別の方向に切れてしまい、開封性が悪くなることがわかった。これは、間隔ｅが狭いほど、カット部２１と隣のカット部２２との間の左右方向への裂け目の暴れが抑えられるためであると考えられる。
さらに、表１及び図９より、間隔ｃが負の値となっている比較例４〜７は開封性が悪いことがわかった。これは、隣のカット部２２の第１カット線２２ａよりも少しでも内側に裂けてしまうと、隣のカット部２２の第１カット線２２ａが裂け目を受け止めきれなくなるためであると考えられる。【００４４】
＜２．カット部の間隔ｅについての検討＞
図５のように切断予定線の途中でカット部の間隔ｅを変化させること以外は、上記１．で示した包装方法と同様の方法でシュリンク包装体を得た。
各実施例において、第１カット部の寸法ａを３．０ｍｍ、第２カット部の寸法ｂを１．０ｍｍ、間隔ｃを１．０ｍｍに統一した。切断予定線の長さ方向の距離Ｘを９８ｍｍに設定し、切断予定線を長さ方向に２分割、３分割又は４分割し、切断予定線の始端部からＸ−１、Ｘ−２、Ｘ−３、Ｘ−４とした。また、切断予定線の始端部Ｘ−１の間隔ｅ１を０．５ｍｍとし、そこから次第に間隔ｅが広くなるようにｅ２、ｅ３、ｅ４を設定した。
表２に示した実施例１０〜１８について包装の開封性を検討したところ、いずれも良好な開封性を実現することができた。【００４５】
【表２】
2019176291.tif 000004
【００４６】
以上、本技術の実施形態及び実施例について具体的に説明したが、本開示における構成、方法、工程、形状、材料及び数値等などはあくまでも例にすぎず、必要に応じてこれと異なる構成、方法、工程、形状、材料及び数値等を用いてもよい。また、本開示における構成、方法、工程、形状、材料及び数値等は、本技術の主旨を逸脱しない限り、互いに組み合わせることが可能である。【００４７】
また、本技術は以下の構成を採用することもできる。
（１）
開封開始部と、該開封開始部を起点に形成される切断予定線と、が設けられており、
前記切断予定線は、配列された複数のカット部で構成され、
前記カット部は、第１カット線と、該第１カット線から開封方向側に屈曲する第２カット線と、を備え、
前記第２カット線の延長線が隣のカット部の前記第１カット線に交わる構成である、包装用フィルム。
（２）
前記第２カット線の延長線と隣のカット部の前記第１カット線との交点から、該カット部の前記第１カット線の先端までの間隔が０より大きく、前記第１カット線の寸法よりも小さい、（１）に記載の包装用フィルム。
（３）
前記第２カット線の先端から前記第２カット線の延長線と隣のカット部の前記第１カット線との交点までの間隔ｅが、前記第２カット線の寸法を１としたときに、０．５〜１．７５である、（２）に記載の包装用フィルム。
（４）
前記切断予定線の始端側における、前記第２カット線の先端から前記第２カット線の延長線と隣のカット部の前記第１カット線との交点までの間隔ｅ１が、前記切断予定線の終端側における前記間隔ｅ２よりも狭い、（２）又は（３）に記載の包装用フィルム。
（５）
前記切断予定線が、前記開封開始部を起点に徐々に間隔が広がる一対の切断予定線である、（２）から（４）のいずれかに記載の包装用フィルム。
（６）
前記第１カット線と、前記第２カット線との屈曲部が湾曲している、（１）から（５）のいずれかに記載の包装用フィルム。
（７）
開封開始部と、該開封開始部を起点に形成される切断予定線と、が設けられており、前記切断予定線は、複数のカット部で構成され、前記カット部は、第１カット線と、該第１カット線から開封方向に屈曲する第２カット線と、を備え、前記第２カット線の延長線が隣のカット部の前記第１カット線に交わる構成である包装用フィルムで被包装物を包んだフィルム包装体。
（８）
前記開封開始部が、前記包装用フィルムのシール部の一部に形成された弱粘着部又は非粘着部である、（７）に記載のフィルム包装体。
（９）
前記被包装物が、記録媒体を収容するプラスチックケースである、（７）又は（８）に記載のフィルム包装体。
（１０）
開封開始部と、該開封開始部を起点に形成される切断予定線と、が設けられており、前記切断予定線は、複数のカット部で構成され、前記カット部は、第１カット線と、該第１カット線から開封方向に屈曲する第２カット線と、を備え、前記第２カット線の延長線が隣のカット部の前記第１カット線に交わる構成である包装用フィルムで被包装物をシュリンク包装することを含む、フィルム包装方法。
【符号の説明】
【００４８】
１、１ａ、１ｂ、１１ａ、１１ｂ、１２ａ、１２ｂ、１３ａ、１３ｂ  切断予定線
２、２１、２２  カット部
２ａ、２１ａ、２２ａ  第１カット線
２ｂ、２１ｂ、２２ｂ、２１１ｂ、２１２ｂ  第２カット線
３  被包装体
４  包装用フィルム
４１、４２  シール部
５  開封開始部
Ｄ１  開封方向
Ｄ２  切断予定線の方向
【図１】
2019176291.tif 000005
【図２】
2019176291.tif 000006
【図３】
2019176291.tif 000007
【図４】
2019176291.tif 000008
【図５】
2019176291.tif 000009
【図６】
2019176291.tif 000010
【図７】
2019176291.tif 000011
【図８】
2019176291.tif 000012
【図９】
2019176291.tif 000013
【国際調査報告】
2019176291.tif 000014
2019176291.tif 000015
2019176291.tif 000016
2019176291.tif 000017